(57)【要約】移動局を（ｃｄｍａ）通信システムにおける様々な周波数へ再分配する際に使用のためチャネルの選択強化のための方法及び装置。一つの形態では、その方法は再配分変更レコードを共通チャネル再配分メッセージに付加する。再配分変更レコードは共通チャネル再配分メッセージにおいてチャネルを選択するとき移動局の順序付けを変更する。別の形態では、変更レコードはシステム決定を行わずに移動局が遊休状態に移行することを可能にする。【選択図】      図６
2008518519.tif 000002
【特許請求の範囲】
【請求項１】
共通チャネル再配分メッセージに再配分変更レコードを付加すること、及び
再配分変更レコードに基づいて移動局の順序付けを変更することを含む方法。
【請求項２】
順序付けを変更することは、再配分変更レコードによって指示されたとき移動局のチャネル再配分の後、システム決定を見送ることを含む、請求項１記載の方法。
【請求項３】
共通チャネル再配分メッセージは、拡張ＣＤＭＡチャネル・リスト・メッセージ（ＥＣＣＬＭ）及び拡張全域サービス先変更メッセージ（ＥＧＳＲＤＭ）の一つである、請求項２記載の方法。
【請求項４】
順序付けを変更することは再配分変更レコードに基づいて移動局のためのチャネルの選択を変更することを含む、請求項１記載の方法。
【請求項５】
移動局の能力に基づいてチャネルの選択を変更することをさらに含む、請求項４記載の方法。
【請求項６】
共通チャネル再配分メッセージは、拡張ＣＤＭＡチャネル・リスト・メッセージ（ＥＣＣＬＭ）及び拡張全域サービス先変更メッセージ（ＥＧＳＲＤＭ）の一つである、請求項５記載の方法。 
【請求項７】
通信システムにおいて複数の移動局を複数のチャネルへ再分配する方法であって、
共通チャネル再配分メッセージに追加のための再配分変更レコードを生成すること、及び
再配分変更レコード及び共通チャネル再配分メッセージを通信システムにおける共通チャネル上で伝送することを含む方法。
【請求項８】
再配分変更レコードを生成することは、再配分変更レコードによって指示されたとき複数の移動局の少なくとも一つのチャネル再配分の後、システム決定を見送るように複数の移動局の少なくとも一つに指令するため再配分変更レコードを生成することを含む、請求項７記載の方法。
【請求項９】
共通チャネル再配分メッセージは、拡張ＣＤＭＡチャネル・リスト・メッセージ（ＥＣＣＬＭ）及び拡張全域サービス先変更メッセージ（ＥＧＳＲＤＭ）の一つである、請求項８記載の方法。 
【請求項１０】
再配分変更レコードを生成することは、再配分変更レコードに基づいて複数の移動局の一つに関するチャネルの選択を変更するように、複数の移動局の少なくとも一つに指令するため再配分変更レコードを生成することを含む、請求項７記載の方法。
【請求項１１】
複数の移動局の少なくとも一つの能力に基づいてチャネルの選択を変更することをさらに含む、請求項１０記載の方法。
【請求項１２】
共通チャネル再配分メッセージは、拡張ＣＤＭＡチャネル・リスト・メッセージ（ＥＣＣＬＭ）及び拡張全域サービス先変更メッセージ（ＥＧＳＲＤＭ）の一つである、請求項１１記載の方法。 
【請求項１３】
移動局で順序付けを変更する方法であって、
共通チャネル再配分メッセージ及び再配分変更レコードを受取ること、及び
再配分変更レコードに基づいて移動局における順序付けを変更することを含む方法。
【請求項１４】
順序付けを変更することは再配分変更レコードによって指示されたとき、移動局のチャネル再配分の後、システム決定を見送ることを含む、請求項１３記載の方法。
【請求項１５】
共通チャネル再配分メッセージは、拡張ＣＤＭＡチャネル・リスト・メッセージ（ＥＣＣＬＭ）及び拡張全域サービス先変更メッセージ（ＥＧＳＲＤＭ）の一つである、請求項１４記載の方法。 
【請求項１６】
順序付けを変更することは再配分変更レコードに基づいて移動局に関するチャネルの選択を変更することを含む、請求項１３記載の方法。
【請求項１７】
移動局の能力に基づいてチャネルの選択を変更することを含む、請求項１６記載の方法。
【請求項１８】
共通チャネル再配分メッセージは、拡張ＣＤＭＡチャネル・リスト・メッセージ（ＥＣＣＬＭ）及び拡張全域サービス先変更メッセージ（ＥＧＳＲＤＭ）の一つである、請求項１７記載の方法。 
【請求項１９】
複数の移動局を通信システムにおける複数のチャネルに再分配するためのコンピュータ実行可能な命令を含むコンピュータ可読媒体であって、コンピュータ実行可能な命令が、
共通チャネル再配分メッセージに付加するための再配分変更レコードを生成すること、及び
通信システムにおける共通チャネル上で再配分変更レコード及び共通チャネル再配分メッセージを伝送することであるコンピュータ可読媒体。
【請求項２０】
共通チャネル再配分メッセージは、拡張ＣＤＭＡチャネル・リスト・メッセージ（ＥＣＣＬＭ）及び拡張全域サービス先変更メッセージ（ＥＧＳＲＤＭ）の一つである、請求項１９記載のコンピュータ可読媒体。 
【請求項２１】
再配分変更レコードを生成するためのコンピュータ実行可能命令は、再配分変更レコードに基づいて複数の移動局の一つに関するチャネルの選択を変更するように、複数の移動局の少なくとも一つに指令する再配分変更レコードを生成することを含む、請求項１９記載のコンピュータ可読媒体。
【請求項２２】
複数の移動局の少なくとも一つの能力に基づいてチャネルの選択を変更するためのコンピュータ実行可能命令をさらに含む、請求項２１記載のコンピュータ可読媒体。
【請求項２３】
移動局における順序付けを変更するためのコンピュータ実行可能命令を含むコンピュータ可読媒体であって、コンピュータ実行可能命令が、
共通チャネル再配分メッセージ及び再配分変更レコードを受取ること、及び
再配分変更レコードに基づいて移動局における順序付けを変更することであるコンピュータ可読媒体。
【請求項２４】
複数の移動局を通信システムにおける複数のチャネルへ再分配するための基地局であって、
共通チャネル再配分メッセージに付加するための再配分変更レコードを生成する手段、及び
通信システムにおける共通チャネル上で再配分変更レコード及び共通チャネル再配分メッセージを伝送する手段を具備する基地局。
【請求項２５】
再配分変更レコードを生成するための手段は、再配分変更レコードによって指示されたとき複数の移動局の少なくとも一つのチャネル再配分の後、システム決定を見送るように複数の移動局の少なくとも一つに指令するため再配分変更レコードを生成する手段を具備する、請求項２４記載の基地局。
【請求項２６】
共通チャネル再配分メッセージは、拡張ＣＤＭＡチャネル・リスト・メッセージ（ＥＣＣＬＭ）及び拡張全域サービス先変更メッセージ（ＥＧＳＲＤＭ）の一つである、請求項２５記載の基地局。
【請求項２７】
再配分変更レコードを生成する手段は、再配分変更レコードに応答して複数の移動局の少なくとも一つに関するチャネルの選択を変更するように、複数の移動局の少なくとも一つに指令するために再配分変更レコードを生成する手段を具備する、請求項２４記載の基地局。
【請求項２８】
複数の移動局の少なくとも一つの能力に基づいてチャネルの選択を変更する手段をさらに具備する、請求項２７記載の基地局。
【請求項２９】
共通チャネル再配分メッセージは、拡張ＣＤＭＡチャネル・リスト・メッセージ（ＥＣＣＬＭ）及び拡張全域サービス先変更メッセージ（ＥＧＳＲＤＭ）の一つである、請求項２８記載の基地局。
【請求項３０】
共通チャネル再配分メッセージ及び再配分変更レコードを受取るための手段、及び
再配分変更レコードに基づいて移動局における順序付けを変更するための手段を具備する基地局。
【請求項３１】
順序付けを変更するための手段は再配分変更レコードによって指示されたとき、移動局のチャネル再配分後、システム決定を見送るための手段を含む、請求項３０記載の基地局。
【請求項３２】
共通チャネル再配分メッセージは、拡張ＣＤＭＡチャネル・リスト・メッセージ（ＥＣＣＬＭ）及び拡張全域サービス先変更メッセージ（ＥＧＳＲＤＭ）の一つである、請求項３１記載の基地局。
【請求項３３】
順序付けを変更する手段は再配分変更レコードに基づいて移動局に関するチャネルの選択を変更するための手段を含む、請求項３０記載の基地局。
【請求項３４】
移動局の能力に基づいてチャネルの選択を変更するための手段を含む、請求項３３記載の基地局。
【請求項３５】
共通チャネル再配分メッセージは、拡張ＣＤＭＡチャネル・リスト・メッセージ（ＥＣＣＬＭ）及び拡張全域サービス先変更メッセージ（ＥＧＳＲＤＭ）の一つである、請求項３４記載の基地局。
【発明の詳細な説明】
【技術分野】
【０００１】
３５  Ｕ．Ｓ．Ｃ  §１１９における優先権主張
本特許出願は２００４年１０月２２日出願され、この譲請人に譲渡され、且つ特にここに引例として組込まれている「性能劣化のない異なる周波数帯域の強化再配分のための方法及び、装置（METHOD AND APPARATUS FOR ENHANCED REDISTRIBUTION OF MOBILE STATIONS TO DIFFERENT FREQUENCY BANDS WITHOUT PERFORMANCE DEGRADATION）と題する仮出願番号第６０／６２１，４３６号に対する優先権を主張する。
【０００２】
本発明は一般に通信システムに関係し、特に別の周波数帯域への移動局の再配分において使用のチャネルの強化選択のための方法及び装置に関係する。
【背景技術】
【０００３】
無線通信技術はここ数年間で著しい成長を見てきた。この成長は一部無線技術によって提供された移動の自由及び無線メディア上の音声及びデータ通信の大きな品質の改良によって支えられてきた。データ・サービスの付加と共に音声サービスの品質改良は公衆通信に対して重要な影響を与えてきたし、且つ与え続けるであろう。
【０００４】
無線通信の成長増加によってネットワークは移動局が一つの通信区域（coverage area）から別の通信区域に移動するのでネットワークを横断して移動することがユーザーに必要になってきた。基地局は様々な周波数及び帯域上で動作する。移動体（mobile units）はサービスの損失または低下なく一つの周波数帯域から別の周波数帯域へ移行することができなければならない。また混乱なくサービスの品質を保証するために無線システムの全域でユーザーの負荷を共有、或いは配分することが有利である。移動局を別の周波数または帯域に選択的に配分することは帯域または周波数の能力（例えば、行われるサービス）、移動局のプロトコル更新、及び移動局によって使用されるサービス等に依存する。
【発明の開示】
【発明が解決しようとする課題】
【０００５】
現在、選択的に移動局を配分するために利用可能な仕組みは、ページング・チャネル割当、トラヒック・チャネル割当、拡張ＣＤＭＡチャネル・リスト・メッセージ（ＥＣＣＬＭ）、及び拡張全域サービス先変更メッセージ（ＥＧＳＲＤＭ）を含む。ページング・チャネル割当は別の帯域または周波数上のページング・チャネルへ移動局を指向けるために使用される。しかしながら、この選択は各移動局に対して個々に行われなければならない欠点がある。トラヒック・チャネル割当は移動局を別の帯域または周波数上のトラヒック・チャネルに割当てるために使用される。この方法もまた個々に実行されなければならない。ＥＣＣＬＭは移動局能力の限られた集合に基づいて同じ帯域内の別の周波数にわたって移動局を配分するために使用される同報メッセージである。この方法は変更がただ同じ周波数帯域内で限られた制御によって行われるという制限がある。その上、ＥＣＣＬＭ一様な配分のみを行う。ＥＧＳＲＤＭは移動局能力の限られた集合に基づいて移動局を別の周波数に出力先変更する（redirect）ために使用される同報メッセージである。ＥＧＳＲＤＭは限られた制御によるただ一つの出力先変更（redirection）に制限される。さらに、ＥＧＳＲＤＭはシステム決定を経由しなければならない。従って、移動局を様々なチャネルに再配分する手段に関する方法、装置、及びシステムの必要性がある。
【課題を解決するための手段】
【０００６】
本発明の一実施例は再配分変更レコードを共通チャネル再配分メッセージに付加することを含む方法。及び再配分変更レコードに応えて移動局の順序付けを変更することを含む。
【０００７】
本発明の別の実施例は複数の移動局を通信システムにおいて複数のチャネルに再分配する方法を含む。その方法は共通チャネル再配分メッセージに付加する再配分変更レコードを生成し、且つ再配分変更レコード及び共通チャネル再配分メッセージを通信システムにおける共通チャネル上で伝送することを含む。
【０００８】
本発明のさらなる実施例は移動局における順序付けを変更する方法を含む。その方法は共通チャネル再配分メッセージを受信し、再配分変更レコードに応えて移動局における順序付けを変更することを含む。
【０００９】
本発明のさらに別の実施例は複数の移動局を通信システムにおいて複数のチャネルに再分配するためのコンピュータ実行可能な命令を含むコンピュータ可読媒体を含む。コンピュータ実行可能な命令は共通チャネル再配分メッセージに付加するための再配分変更レコードを生成し、且つ通信システムにおける共通チャネル上で再配分変更レコード及び共通チャネル再配分メッセージを伝送するためのものである。
【００１０】
なお本発明のさらなる実施例は移動局における順序付けを変更するためのコンピュータ実行可能な命令を含むコンピュータ可読媒体を含む。コンピュータ実行可能な命令は共通チャネル再配分メッセージ及び再配分変更レコードを受取り、そして再配分変更レコードに応えて移動局の順序付けを変更するためのものである。
【００１１】
本発明の別の実施例は通信システムにおいて複数の移動局を複数のチャネルに再分配するための基地局を含む。基地局は共通チャネル再配分メッセージに付加するための再配分変更レコードを生成するための手段、及び通信システムにおいて共通チャネル上で再配分変更レコード及び共通チャネル再配分メッセージを伝送する手段を含む。
【００１２】
本発明のなお別の実施例は共通チャネル再配分メッセージ及び再配分変更レコードを受信するための手段、及び再配分変更レコードに応えて移動局における順序付けを変更するための手段を含む。
【発明を実施するための最良の形態】
【００１３】
今日の通信システムは様々なアプリケーションに対応することを要求される。そのような一つの通信システムは「ＴＩＡ／ＥＩＡ-９５  二重モード広帯域スペクトル拡散セルラ・システムのための移動局-基地局互換規格（Mobile Station-Base Station Compatibility Standard for Dual-Mode Wideband Spread Spectrum Cellular System）」に適合する符号分割多元接続（ＣＤＭＡ）システム及びその後継システムであり、以後ＩＳ-９５として引用される。ＣＤＭＡシステムの改訂版はＣＤＭＡ２０００として知られている。
【００１４】
本発明の形態は特定の実施例に対する次の記述及び関係図面において開示される。代わりの実施例は本発明の範囲から逸脱することなく考案される。その上、本発明の周知の要素は詳細に示されないし、或いは本発明の関連内容を不明瞭にしないために省略されるであろう。
【００１５】
用語「典型的な（exemplary）」は「例（example）、事例（instance）、または例示（illustration）として役立つ」ことを意味するものとしてここでは使用される。「典型的な」としてここに記述されたいずれの実施例も他の実施例に対して好ましい、或いは有利であると必ずしも解釈されるものではない。同様に、用語「本発明の実施例」は本発明の全ての実施例がここに論じられた特徴、利点、または動作のモードを含むことを必要としない。
【００１６】
ユーザー間のＣＤＭＡシステム、例えば、ＣＤＭＡ２０００システムの通信は一以上の基地局を通じて行なわれる。無線通信システムにおいて、順方向回線（或いは、下り回線）は信号が基地局から加入者局へ移動するチャネルを云い、逆方向回線（或いは、上り回線）は信号が加入者から基地局へ移動するチャネルを云う。逆方向回線上のデータを基地局に伝送することによって、一つの加入者局上の第一のユーザーは第二の加入者局上の第二のユーザーと通信する。基地局は第一の加入者局からデータを受信し、第二の加入者にサービスする基地局へデータを送る。加入者局の場所に応じて、双方はただ一つの基地局もしくは多数の基地局によるサービスを受ける。いずれにせよ、第二の加入者局にサービスする基地局はデータを順方向回線上で送る。第二の加入者局と通信する代りに、加入者局はまたサービス基地局との接続を通じて地上ネットワーク（例えば、インターネット）によって通信する。ＩＳ-９５に適合するもののような無線通信では、順方向回線及び逆方向回線信号は共通性のない周波数帯域内で伝送される。
【００１７】
電話システムは二つの区分（segments）：有線サブシステム及び無線サブシステムから構成される。有線システムは加入者電話網（ＰＳＴＮ）及びインターネットである。それはまた器械類、ビデオまたは他のサービスを含む。無線サブシステムは移動通信用交換器（ＭＳＣ）、基地局制御器（ＢＳＣ）、ホーム場所レジスタ（ＨＬＲ）、外来者場所レジスタ（ＶＬＲ）、基地送受信局（ＢＴＳ）、及び移動局を包含する基地局サブシステムを含む。
【００１８】
図１は多くのユーザーに対応し、いくつかの形態または実施例が実施される典型的な通信システム１００を表す。そのような一つのシステムはＩＳ-９５に適合するＣＤＭＡ通信システムである。通信システム１００は多数のセル１０２Ａ〜１０２Ｇを含む。各々のセル１０２は対応する基地局１０４Ａ〜１０４Ｇのサービスを受ける。各基地局アンテナは一以上のセクタを持ち、そして多元周波数または周波数帯域上で動作する。
【００１９】
受信区域において遠隔局あるいは遠隔端末として知られている遠隔または移動局（ＭＳ）１０６は固定（即ち、静止）、或いは移動する。図１に示したように、様々なＭＳ １０６はシステム中に分散される。各ＭＳ １０６は、例えば、ソフト・ハンドオフが使用されるか否か、もしくは（同時に、もしくは連続して）多数の基地局からの多元伝送を受取るように設計及び作動されるか否かによっていずれか所定の時刻に下り回線及び上り回線上の少なくとも一つ及び恐らくはさらに多くの基地局１０４と通信する。
【００２０】
下り回線はＢＳからＭＳへの伝送を云い、上り回線はＭＳからＢＳへの伝送を云う。典型的な実施例では、いくつかのＭＳ １０６は多数の受信アンテナを持ち、及び他のものはただ一つの受信アンテナを持つ。図１では、ＢＳ １０４ＡはデータをＭＳ １０６Ａ及び１０６Ｊに下り回線上で伝送し、ＢＳ １０４ＢはデータをＭＳ １０６Ｂ及び１０６Ｊに伝送し、ＢＳ １０４Ｃはデータを端末１０６Ｃに伝送する、等々。
【００２１】
無線データ伝送に対する要求の増加、及び無線通信技術を介して利用可能なサービスの拡大は特定のデータ・サービスの発展に導いた。伝送されるデータの量及び伝送の数が増加するにつれて、利用可能な帯域幅を効率的に利用することがますます重要になる。その上、干渉が重要な問題になる。チャネル条件はどちらの伝送が効率的に伝送されるかに影響する。従って、移動局を別のチャネルに再分配する方法に関する必要性がある。
【００２２】
図２は本発明の実施例による典型的システムにおいて基地局１０４Ａ〜１０４Ｇに関する周波数及び帯域割当を示す。基地局１０４Ａは周波数ｆ１に割当てられ、１０４Ｂは周波数ｆ２に割当てられ、１０４Ｃは周波数ｆ３に割当てられ、１０４Ｄは周波数ｆ４に割当てられ、１０４Ｅは帯域ｂ１に割当てられ、１０４Ｆは帯域ｂ２に割当てられ、そして１０４Ｇは帯域ｂ３に割当てられる。基地局１０４Ａから１０４Ｂの通信区域に移動する移動体はｆ１からｆ２に周波数を変更し、一方、基地局１０４Ｄから１０４Ｇの通信区域に移動する移動体は周波数ｆ４から周波数帯域ｂ３へ移動する。
【００２３】
今、移動局が一つの基地局から別の基地局に移動するとき、周波数の移転は拡張ＣＤＭＡチャネル・リスト・メッセージのような共通チャネル再配分メッセージを使用する。このメッセージはＦ-ＢＣＣＨ及びＦ-ＰＣＨ上で伝送される同報メッセージである。そのメッセージは下記のＮＵＭ_ＦＲＥＱ（最大１５）の発生：ＣＤＭＡ_ＦＲＥＱ、Ｆ-ＰＣＨ／Ｆ-ＢＣＣＨを含むＣＤＭＡチャネル；対応するＣＤＭＡチャネルがＲＣ＞２が可能であるか、もしくはＦ-ＱＰＣＨに対応が可能である移動局によってチャネル・ハッシングのために選択されるべきであるかどうかを示すＲＣ_ＱＰＣＨ_ＨＡＳＨ_ＩＮＤを含む。後者はＲＣ_ＱＰＣＨ_のときのみ含まれる；及びＴＤ_ＨＡＳＨ_ＩＮＤ、それは対応するＣＤＭＡチャネルが示された伝送ダイバシティに対応が可能な移動局によってチャネル・ハッシングのために選択されるべきであるかどうかを示す。ＴＤ_ＨＡＳＨ_ＩＮＤに関する条件は次のとおりである；ＴＤ_ＳＥＬ_ＩＮＣＬ＝１であるかどうか、ＴＤ_ＭＯＤＥ＆ＴＤ_ＰＯＷＥＲ_ＬＥＶＥＬが含まれるかどうかである。
【００２４】
ＥＣＣＬＭメッセージに従って働く移動局はＥＣＣＬＭにリストされた全てのチャネルで始まり、そして部分集合を選択するであろう。部分集合１は次の基準に基づいて選択される：ＴＤ_ＳＥＬ_ＩＮＣＬ＝１及び移動局がＴＤ_ＭＯＤＥｒに対応すれば、ＴＤ_ＨＡＳＨ_ＩＮＤｒ＝１を持つ全てのチャネルを選択する。移動局がＴＤ_ＭＯＤＥｒに対応しなければ、ＴＤ_ＨＡＳＨ_ＩＮＤｒ＝０を持つチャネルを選択する。ＴＤ_ＳＥＬ_ＩＮＣｒ＝０ならば、全てのチャネルを選択する。部分集合１が空であれば処理を停止する。部分集合１が空でなければ、部分集合１から最終の部分集合を選択する。ＲＣ_ＱＰＣＨ_ＳＥＬ_ＩＮＣｒ＝１及び移動局がＲＣ＞２またはＦ-ＱＰＣＨが可能であれば、ＲＣ_ＱＰＣＨ_ＨＡＳＨ_ＩＮＤｒ＝１を持つチャネルだけを使用する。移動局がＲＣ＞２及びＦ-ＱＰＣＨが可能でなければ、全てのチャネルを使用する。部分集合が空であれば、全体の部分集合１を最終の部分集合として使用する。他の場合には、全体の部分集合１を最終の部分集合として使用する。最終の部分集合があれば、次の入力：移動局が登録した国際移動体加入者識別子（International Mobile Subscriber Identity）に基づくＩＭＳＩ_ Ｓ及び最終の部分集合におけるチャネルの数を持つハッシング・アルゴリズムを使用するャネルを選択する。
【００２５】
ＥＣＣＬＭは移動局を一つの周波数から別の周波数に切替える一方、一様なハッシングに対応するだけであり、ハッシングに関する制御を制限する。特に、ＲＣ＞２、Ｆ-ＱＰＣＨ支援及びＴＤ支援制御だけが行われる。その上、ＥＣＣＬＭのみが帯域内ハッシングに対応する。ＥＣＣＬＭによるハッシングに対する修正は非一様重み基準ハッシングを許容することによって行われる。これは次のパラメータ：重みが全ての周波数に割当てられるか、または等しい重みが適用されるべきかどうかを示すＷＥＩＧＨＴ_ＩＮＣＬ；及び各周波数に割当てられた特定の重みであるＣＤＭＡ_ＦＲＥＱ_ＷＥＩＧＨＴを合計することを必要とする。
【００２６】
一つの実施例はどのように移動局が分配されるべきかをさらに精細に選択するハッシングに対して追加の制御を行う。本発明の一実施例は、ハッシング処理の前にチャネルの部分集合の選択の順序付けを変更するように移動局に指示するために能力制御を含む再配分変更レコードのような追加のレコードを生成することによるＥＣＣＬＭの追加または強化を含む。実施例は順序付けを変更し、そしてチャネル選択を変更することを含む。例はＭＯＢ_Ｐ_ＲＥＶ基準ハッシングである。この制御はＭＯＢ_Ｐ_ＲＥＶ_ＩＮＤ（００：含まれない、０１：範囲、１０：ビット・マップ ) を使用する。追加の制御は：範囲を含めるかもしくは除外するかどうか決定するＥＸＣＬＭＯＢ_Ｐ_ＲＥＶ_ＩＮＤ；最小の適用可能なＭＯＢ_Ｐ_ＲＥＶであるＭＯＢ_Ｐ_ＲＥＶ_ＭＩＮ；最大の適用可能なＭＯＢ_Ｐ_ＲＥＶであるＭＯＢ_Ｐ_ＲＥＶ_ＭＡＸ；及びビット・マップ長を包含するＭＯＢ_Ｐ_ＲＥＶ_ＢＩＴＭＡＰ_ＬＥＮ；及びビット・マップを包含するＭＯＢ_ＰＲＥＶ_ＢＩＴＭＡＰを含む。また、ＡＣＣＯＬＣは強化として含まれる。
【００２７】
他のハッシング方法は支援される共通チャネル、支援されるトラヒック・チャネル、支援されるサービス、及び能力プロフィールを含む。支援される共通チャネルは：ＦＱＰＣＨ_ＳＵＰ_ＩＮＤ_ＩＮＣＬ、ＱＰＣＨ_ＳＵＰ_ＩＮＤ_ＩＮＤ、ＴＤ_ＩＮＣＬ、ＴＤ_ＳＵＰ_ＩＮＤ、ＴＤ_ＭＯＤＥを含む。支援されるトラヒック・チャネルは：ＴＤ_ＩＮＣＬ、ＴＤ_ＳＵＰ_ＩＮＤ、ＴＤ_ＭＯＤＥ、ＲＣ_ＳＵＰ_ＩＮＣＬ、範囲を含めるべきか、除外すべきかどうかを示すＥＸＣＬ_ＲＣ_ＩＮＤ、最小の適用可能なＲＣであるＲＣ_ＭＩＮ、最大の適用可能なＲＣであるＲＣ_ＭＡＸ、ビット・マップ長であるＲＣ_ＢＩＴＭＡＰ_ＬＥＮ、ＰＤＣＨ_ＳＵＰ_ＩＮＤ_ＩＮＣＬ、ＰＤＣＨ_ＳＵＰ_ＩＮＤ、ＳＨＡＲＥＤ_ＴＲＦＣＨ_ＳＵＰ_ＩＮＤ_ＳＨＡＲＥＤ_ＴＲＦＣＨ_ＳＵＰ_ＩＮＤを含む。支援されるサービスは：ＳＯ_ＧＲＯＵＰ_ＩＮＣＬ、ＳＯ_ＧＲＯＵＰ_ＢＩＴＭＡＰ、ＢＣＭＣＳ_ＳＵＰ_ＩＮＤ、ＰＴＴ_ＳＵＰ_ＩＮＤ、ＶＯＩＰ_ＳＵＰ_ＩＮＤ、及びＨＳＤＡＴＡ_ＳＵＰ_ＩＮＤを含む。
【００２８】
追加の強化は一組の能力を獲得する能力プロフィール番号を定義することを含む。これはＣＡＰ_ＰＲＯＦＩＬＥ_ＢＩＴＭＡＰ_ＬＥＮ、ＣＡＰ_ＰＲＯＦＩＬＥ_ＢＩＴＭＡＰを含むであろう。
【００２９】
ハッシングは帯域間ハッシングを許可する実施例を通じて強化される。これはＣＤＭＡ_ＢＡＮＤパラメータをＥＣＣＬＭにおいて各ＣＤＭＡ_ＦＲＥＱに加えることによって達成される。別の周波数帯域へハッシングするとき、一つの実施例は移動局が遊休状態へ直接行くことを可能にし、それは新しい帯域または周波数において遊休状態への跳躍（hops）の数を低減する。この実施例は別の帯域において各周波数に関するＤＩＲＥＣＴ_ＴＯ_ＩＤＬＥ_ＩＮＤフラグを加え、且つまた移動局が直接遊休状態へ行くこと許容するかどうか、或いは移動局がシステム決定準状態に入るべきかどうかを示す。移動局が直接遊休状態へ行くことを許容されれば、それはＦ-ＰＣＨ／Ｆ-ＢＣＣＨパラメータが現在のパラメータ（ＰＣＨ_ＢＣＣＨ_ＰＡＲＡＭＳ_ＩＮＣＬＥ、ＰＡＧＥ_ＣＨ、ＰＲＡＴ、 ＳＲ１_ＢＣＣＨ_ＣＯＤＥ_ＣＨＡＮＮＥＬ、ＳＲ１_ＣＲＡＴ、ＳＲ１_ＢＲＡＴ）と異なればそれらのパラメータを信号する必要がある。さらに別の実施例において提供されるさらなる強化は移動局が不必要なアクセス・チャネル・メッセージを減少させるために電力増加登録（power up registration）を回避することを可能にする。これは別の帯域における各周波数に関するＰＯＷＥＲ_ＵＰ_ＲＥＧ_ＩＮＤフラグを加えることによって達成され、それは移動局がこの帯域への電力増加登録切替えを飛ばすことを許されるかどうかを示す。基地局は基地局における実施及びにハッシング・アルゴリズムへのパラメータ入力に応じた電力増加登録をなお必要とするであろう。
【００３０】
上述の実施例は移動局が強化ＢＣＣＩＭを僅か異なって処理することを要求する。移動局は最初に送られたパラメータに基づいて適当な周波数の部分集合を選択する必要があるであろう。 強化ＥＣＣＬＭはＭＯＢ_Ｐ_ＲＥＶ_ＢＩＴＭＡＰ、ＱＰＣＨ_ＳＵＰ_ＩＮＤ、ＰＤＣＨ_ＳＵＰ_ＩＮＤを含めて、多くの独立の能力を搬送する。ＥＣＣＬＭはまた独立制御を使用するための規則を搬送する。例として、これらの制御を使用するための優先度：ＭＯＢ_Ｐ_ＲＥＶ_ＰＲＩＯＲＩＴＹ、ＱＰＣＨ_ＰＲＩＯＲＩＴＹ、ＰＤＣＨ_ＰＲＩＯＲＩＴＹが含まれなければならない。その上、基地局は移動局が空の部分集合で終わらないことを保証しなければならない。そして移動局は調整すべき最終の周波数を選択するために選択された周波数に関する対応重みを持つハッシング・アルゴリズムを使用するであろう。選択された周波数が別の周波数帯域にあれば、移動局はＥＣＣＬＭにおけるフラグに基づいて直接遊休状態に行くべきかどうか決定するであろう。その上、ＭＳはＥＣＣＬＭにおけるフラグに基づいて電力増加登録を飛ばすかどうか決定するであろう。
【００３１】
拡張全域サービス先変更メッッセージ（ＥＧＳＲＤＭ）は共通チャネル再配分メッセージの別の例であり、移動している移動局を一つの周波数から別の周波数へ変えるために使用される別の仕組みである。ＥＣＣＬＭと異なり、ＥＧＳＲＤＭは移動体を別の周波数帯域内の周波数に切替える。図２において、移動局は基地局１０４Ａから１０４Ｅへ周波数ｆ１から帯域ｂ１にある新しい周波数へ変えられるであろう。ＥＧＳＲＤＭはＦ-ＢＣＣＨ及びＦ-ＰＣＨ上で伝送られた同報メッセージである。メッセージの内容は：出力先変更（redirected）アクセス過負荷クラスＲＥＤＩＲＥＣＴ_ＡＣＣＯＬＣ；失敗すれば戻る指標ＲＥＴＵＲＮ_ＩＦ_ＦＡＩＬ；ＴＭＳＩ削除指標ＤＥＬＥＴＥ_ＴＭＳＩ；含まれる出力先変更移動体プロトコル改訂ＲＥＤＩＲＥＣＴ_Ｐ_ＲＥＶ_ＩＮＣＬを含む。「０」に設定されれば、ＲＥＤＩＲＥＣＴ_Ｐ_ＲＥＶ_ＩＮＣＬは全ての移動局に適用する。ＲＥＤＩＲＥＣＴ_Ｐ_ＲＥＶ_ＩＮＣＬはまた移動体プロトコル改訂を除外する指標ＥＸＣＬ_Ｐ_ＲＥＶ_ＩＮＤを含む。ＥＸＣＬ_Ｐ_ＲＥＶ_ＩＮＤは｛ＲＥＤＩＲＥＣＴ_Ｐ_ＭＩＮ．．ＲＥＤＩＲＥＣＴ_Ｐ_ＭＡＸ｝によって指定された範囲における移動局が出力先変更（redirection）において除外されたか、含まれたかどうかの情報を含む。ＲＥＤＩＲＥＣＴ_Ｐ_ＭＩＮ及びＲＥＤＩＲＥＣＴ_Ｐ_ＭＡＸの値は≧６でなければならない。
【００３２】
ＣＤＭＡシステムへの出力先変更は下記の情報を必要とする。ＣＤＭＡシステムはＲＥＣＯＲＤ_ＴＹＰＥ＝００００００１０で示されたレコード形式を使用する。さらに必要とされる情報は：移動局が出力先変更され帯域クラスＢＡＮＤ_ＣＬＡＳＳ；特定のシステムに出力先変更されれば、期待ＳＩＤ／ＮＩＤであるＥＸＰＥＣＴＥＤ_ＳＩＤ／ＥＸＰＥＣＴＥＤ_ＮＩＤ；及び｛ＣＤＭＡ_ＣＨＡＮ｝を含む。また移動局がその各々の上でＣＤＭＡシステムを確保しようと試みるＣＤＭＡチャネルの発生ＮＵＭ_ＣＨＡＮも含まれる。
【００３３】
移動局はまた周波数または帯域を変更するために手続きを行う。ＥＧＳＲＤＭが移動局に適用すれば、移動局は受信メッセージからＲＥＤＩＲＥＣＴ_ＲＥＣｓ＝出力先変更レコードを設定するであろう。移動局はまた出力先変更指示を持つシステム決定準状態に入るであろう。システム決定準状態において一度、移動体は現在の出力先変更基準に従ってシステムを可能にし、且つ選択するようにＲＥＤＩＲＥＣＴＩＯＮを設定するであろう。現在の出力先変更基準を使用するシステム選択は下で述べられるステップを含む。移動局がＢＡＮＤ_ＣＬＡＳＳによって識別された帯域クラスにおいてＣＤＭＡモード動作に対応するならば、移動局はせいぜいｎ順次システム選択を行うであろう、ここでｎは示されたＮＵＭ_ＣＨＡＮＳフィールドの値に等しい；ｉ番目のシステム選択（ｉは１からｗの範囲である）に関して、移動局がＣＤＭＡ_ＣＨＡＮフィールドのｉ番目の発生の値と関連するＣＤＭＡチャネル上の動作に対応すれば、移動局はＣＤＭＡＣＨｓをｉ番目の値に設定し、ＣＤＭＡＢＡＮＤｓをＣＤＭＡ_ＣＨＡＮフィールドにおいて指定された値に設定する。しかしながら、移動局がＣＤＭＡ_ＣＨＡＮフィールドのｉ番目の発生の値と関連するＣＤＭＡチャネル上の動作に対応しなければ、移動局はｉ番目のシステム選択をしないであろう。
【００３４】
一旦、移動局が上記の手続きを行うと、その処理は選択されたシステムを取得し続ける。これはパイロット・チャネル取得準状態、同期チャネル取得準状態、及びタイミング変更準状態を通じて続く移動局を含む。そして移動体は遊休状態に入り、別の周波数ブロックまたは別の帯域クラスを使用することから切替えれるならば、電力増加登録を行う。
【００３５】
上で述べた手続きは本発明の実施例において克服される制限がある。上で述べたように、ＥＧＳＲＤＭはただ一つの出力先変更レコードしか運ばないので、ＥＧＳＲＤＭはある所定の時間にただ一つの出力先変更しか行わず、一旦ＥＧＳＲＤＭが一つ使用のために構成されると、他の出力先変更は行われない。実施例は一以上の次の再配分変更レコードを付加することによってＥＧＳＲＤＭを持つ多元出力先変更レコードを提供する。これは並行して行われる多元出力先変更を可能にする。この実施例はまた移動局動作を定義するために簡単な規則を使用する。この規則は適用する第一のレコードに基づいて作動する移動局を必要とする。
【００３６】
現在のＥＧＳＲＭの制限は移動局がシステム決定、及びさらなる遅延による性能低下を通り抜けねばならないことである。本発明の実施例は移動局が再指定帯域及び周波数上で直接遊休状態に行くことを許容する。必要とされるパラメータ、例えば、ＦＰＣＨレートはＥＧＳＲＤＭレコードに含まれる。
【００３７】
さらなる制限は移動局が逆方向回線負荷においてその結果生じる増加に関して電力増加登録を行うべきことである。本発明の実施例は周波数帯域またはブロックを変更するとき、電力増加登録を行う要求を取り除く。その実施例は電力増加登録の必要性を取り除くために移動局場所更新を調整する。
【００３８】
ＥＧＲＳＤＭは限られた制御のみがどの移動体が出力先変更されるかを選択するために利用可能である制限を有する。特に、ＡＣＣＯＬＣ及びＭＯＢ_Ｐ_ＲＥＶ範囲のみが利用可能な制御である。本発明の実施例はどの移動体が出力先変更されるかを精細に選択するために次の制御を行う：範囲及びビット・マップを含むＡＣＣＯＬＣ、ＭＯＢ_Ｐ_ＲＥＶ；ＢＣ１に６０％そしてＢＣ２に４０％向けられるような確率。移動局能力はまた出力先変更を促進するために使用される。支援される特定のサービスは：サービス選択数及びサービス選択群、ＢＣＭＣＳ、ＰＴＴ、ＶｏＩＰを含む。支援されるチャネルは：ＤＶ（ＰＤＣＨ）、共有トラヒック・チャネル、及びＱＰＣＨを含む。ＲＣ及びＴＤはまた移動局によって支援される。移動局の能力は移動局能力プロフィール番号によって定義される。本発明の実施例は移動体を別の周波数または周波数帯域に出力先変更する移動局能力プロフィール番号を使用する。
【００３９】
図３は本発明の実施例によって移動局がＣＤＭＡ２０００無線通信システムにおける呼出処理の間に通過する状態を示す。図３は呼出処理状態３００の概観を示す。ＭＳが電力増加３０２するとき呼出処理は始まる。電力増加後、ＭＳは移動体初期化状態３１０に入る。移動体初期化状態において、移動体は取得すべきパイロット及び同期チャネルを処理し、ＣＤＭＡシステムと同期する。移動体初期化状態に入ると、ＭＳは初期化タスク３０６の一部としてアナログ・モード動作を始める。一旦、初期化タスク３０６が完了されれば、移動体はシステム・タイミングを十分に取得したのでアナログ・モード動作は終わる。システム・タイミングを取得した後で移動体は遊休状態３１４に入る。
【００４０】
遊休状態にある間、移動体はＢＳからのオーバーヘッド及び移動体向けメッセージ（例えば、入来呼出を示すページ・メッセージ）を受取るためにページング・チャネルまたは順方向共通制御チャネル（Ｆ-ＣＣＨ）を監視する。電力制御はまたＭＳが遊休状態３１４にある間に行われる。さらに、ＭＳは同報制御チャネル（ＢＣＣＨ）を監視し、登録を行い、遊休ハンドオフ、及び配置決定を行う。これらの動作は周波数帯域及び周波数をＭＳに割当てるために必要である。ページング・チャネル・メッセージは承認（ＡＣＫ）メッセージによって応答し、もしくは呼出を始め、または登録を行う移動体を必要とする。ＭＳがページング・チャネルを受取ることができなければ、移動体は移動体初期化状態３１０に戻る。
【００４１】
システム・アクセス状態３２２において、ＭＳはアクセス・チャネルまたは強化アクセス・チャネル上でメッセージを基地局ＢＳに送る。ＢＳはこれらのチャネルを聞き、そしてページング・チャネルまたはＦ-ＣＣＨのいずれかの上でＭＳに応答する。ＭＳは承認 ( ACK ) を開始メッセージ（Origination Message）またはページ応答メッセージ以外のアクセス・チャネル伝送に対する承認（ＡＣＫ）を受取る。
【００４２】
トラヒック・チャネル状態３３０に関する移動局制御において、ＢＳ及びＭＳは音声及びデータといったユーザー情報を搬送する専用順方向及び逆方向チャネルを使用することによって通信する。
【００４３】
図４は本発明の実施例によってデータ伝送を支援し、多元ユーザーへの伝送を予定計画するために適応する通信システムの一例である。図４は図１からの基地局１０４の動作を例示する。図４は以下に詳述され、この中で特に基地局４２０及び基地局制御器（ＢＳＣ）４１０はパケット・ネットワーク・インタフェース４０６と相互接続する。基地局制御器４１０は、システム２００において伝送を予定計画するためのチャネル・スケジューラ４１２を含む。チャネル・スケジューラ４１２はどのデータが伝送されるべきかを決定する。
【００４４】
その上、チャネル・スケジューラ４１２は伝送のために特別なデータ列を選択する。そして伝送さられるべきデータの関連する量はデータ列４３０から取出され、データ列４３０と関連する遠隔局への伝達のためにチャネル要素４２６に提供される。下で論じるように、チャネル・スケジューラ４１２はデータを提供するために列を選択し、それは後の伝送において伝送される。
【００４５】
基地局制御器４１０は、図４では簡単にするため一つだけが示されているが、多くのセレクタ要素４１６を含む。各セレクタ要素４１６は 一以上の基地局４２０及び一つの移動局（示されない）の間の通信を制御するために割当てられる。セレクタ要素４１６が或る遠隔局に割当てられなかったならば、呼出制御プロセッサ４１８は遠隔局にページ付けをする必要性を通知される。そして呼出制御プロセッサ４１８は遠隔局にページ付けをするよう基地局４２０を指示する。
【００４６】
データ源４０２は或る遠隔局に伝送されるべき多量のデータを含む。データ源４０２はデータをパケット・ネットワーク・インタフェース４０６に提供する。パケット・ネットワーク・インタフェース４０６はデータを受取り、データをセレクタ要素４１６に送る。そしてセレクタセレクタ要素４１６はデータを目標ＭＳ遠隔局と通信中の各ＢＳ ４２０に伝送する。典型的実施例では、各基地局４２０はデータ列４３０を保持し、それはＭＳに伝送されるべきデータを記憶する。
【００４７】
呼出を行っているとき、ＭＳは初期化処理を始める。ＭＳは最初に使用できるパイロット信号を探索することによってシステム・タイミングの形式を決定する。パイロット信号は情報を持たないが、ＭＳはパイロット信号と相関させることによってそれ自身のタイミングを調整する。この相関が検出されるとき、ＭＳは同期チャネルと同期を持ち、そのタイミングをさらに洗練するために同期チャネル・メッセージを読込む。ＭＳは失敗を宣言し、且つ別のチャネルまたは別のシステムを選択するためにシステム決定に戻る前に一つのＣＤＭＡチャネル上で最大１５秒の間探索する。探索処理は標準化されてなく、システムを取得するのに必要とされる時間はシステム実施に依存する。
【００４８】
ＣＤＭＡ２０００では、一つのＣＤＭＡチャネルに多くのパイロット・チャネルがある。これらのパイロットは直交伝送ダイバシティ・パイロット、空間時間拡散パイロット、及び補助パイロットを含む。システム取得の間、それらのパイロットは別のウォルシュ符号上にあり、取得処理の間にはウォルシュ０だけを探索しているので、移動体はこれらのパイロットのいずれも見出さないであろう。
【００４９】
一旦、移動体が同期を持つと、それはそのタイミングをさらに洗練するために同期チャネル・メッセージを読込む。図５は本発明の実施例による同期チャネル・メッセージにおいて見出されたフィールド及びフィールド長を示す。同期チャネル・メッセージは同期チャネルに連続して伝送される。このメッセージはそのタイミングを洗練し、且つページング・チャネルを読込むために情報を移動体に提供する。一般的に、同期チャネル・メッセージが伝送されるたびにＬＣ_ＳＴＡＴＥ及びＳＹＳ_ＴＩＭＥフィールドだけが変化する。
【００５０】
移動局は同期チャネル・メッセージにおいて基地局から、受信情報を移動局の記憶情報と比較して移動体がその基地局と通信できるかどうか決定することを可能にする情報を受取る。移動局に記憶された一つの特定情報は移動体によって支援された最大プロトコル改訂である値を含むＭＯＢ_Ｐ_ＲＥＶフィールドを含む。
【００５１】
同期チャネル・メッセージは次のフィールドを含む：
Ｐ_ＲＥＶ− 基地局によって支援された最大プロトコル改訂。
【００５２】
ＭＩＮ_Ｐ_ＲＥＶ−基地局が支援する移動体の最小プロトコル改訂。移動体が同期チャネルを取得し、且つＭＯＢ_Ｐ_ＲＥＶ＜ＭＩＮ_Ｐ_ＲＥＶであれば、それはそのシステム上でサービスを取得しようとしないが、別のシステムを選択しようとするためシステム決定に戻る。
【００５３】
Ｐ_ＲＥＶ_ＩＮ_ＵＳＥ−移動体によって現在使用されているプロトコル改訂である移動体によって計算された値。移動体が同期チャネルメッセージを受取るときはいつでも、それはＰ_ＲＥＶ_ＩＮ_ＵＳＥの値をＰ_ＲＥＶ及びＭＯＢ_Ｐ_ＲＥＶの小さい方に設定する。移動体はＰ_ＲＥＶ_ＩＮ_ＵＳＥによって支援されないサービス及び特徴を要求しないであろう。
【００５４】
一旦、移動体がシステム取得を完了すると、移動体は遊休状態に入る。用語「遊休状態（idle state）」はいくらか誤称である。移動体は遊休状態においても非常に忙しい。一般に、移動体はページング・チャネルの一つを受取り、そのチャネル上でメッセージを処理する。オーバーヘッドまたは構成メッセージは移動体が最も現下のパラメータを持っていることを保証するために記憶された系列番号と比較される。移動体向けメッセージは目的の加入者を決定するために調べられる。
【００５５】
遊休状態における間、移動体は次の機能を実行する：
ページング・チャネル監視を行う；
登録手続きを行う；
（システム・パラメータ・メッセージ、近隣リスト・メッセージ、 ＣＤＭＡチャネル・リスト・メッセージ、またはアクセス・パラメータ・メッセージに応えて）オーバーヘッド情報動作に対する応答を行う；
移動局ページ突合わせ動作を行う；
移動局順序及びメッセージ処理を行う；
移動局開始動作を行う；
ユーザーによってメッセージを伝送することを指令されれば、移動局メッセージ伝送動作を行う；
移動局電力低減動作を行う。
【００５６】
ＣＤＭＡ２０００は四つの追加オーバーヘッド・メッセージ：ユーザー区域識別メッセージ、個人近隣リスト（private neighbor list）メッセージ、拡張全域サービス先変更メッセージ（ＥＧＳＲＤＭ）、及び拡張ＣＤＭＡチャネル・リスト・メッセージ（ＥＣＣＬＭ）を使用する。ユーザー区域識別メッセージ及び個人近隣リスト・メッセージはＣＤＭＡ段階サービス（tiered services）を支援するために使用される。
【００５７】
拡張全域サービス先変更メッセージ（ＥＧＳＲＤＭ）は移動体を別のシステムに出力先変更させる。拡張形のメッセージはプロトコル改訂の機能として移動体を出力先変更させる能力を含む。
【００５８】
拡張ＣＤＭＡチャネル・リスト・メッセージ（ＥＣＣＬＭ）はシステムによって使用されるＣＤＭＡチャネルのリストを移動体に提供する。拡張形のメッセージは迅速なページング・チャネルの有用性に関する情報、及び伝送ダイバシティが利用可能なＣＤＭＡチャネル上で支援されるかどうかの情報を含む。
【００５９】
基地局は多元ページング・チャネル（ウォルシュ機能）及び／または多元ＣＤＭＡチャネル（周波数）を支援する。移動体は遊休状態で監視すべきチャネル及び周波数を決定するためにその国際移動体加入者識別（ＩＭＳＩ）に基づくハッシュ機能を使用する。基地局は移動体をページ付けするとき使用するチャネル及び周波数を決定するために同じハッシュ機能を使用する。
【００６０】
図６は本発明の実施例による順方向ページング・チャネル（Ｆ-ＰＣＨ）に関するハッシング機能のステップを示す。移動局はウォルシュ・チャネル１上で伝送される一次ページング・チャネルを使用することによって起動する。システム・パラメータ・メッセージは多元ウォルシュ・チャネルがあるかどうかを示し、そうであれば、移動体は新しいものを選択するためにハッシュ機能を使用する。システム・パラメータ・メッセージはまたＣＤＭＡ２０００の拡張ＣＤＭＡチャネル・リスト・メッセージがＦ-ＰＣＨ上で送られつつあるかどうかを示す。
【００６１】
ハッシングの方法６００は移動体がステップ６０２において同期チャネルを取得するとき始まる。ステップ６０６において、移動体はページング・チャネル（ウォルシュ１）を取得する。ページング・チャネルを取得した後、移動体はステップ６１０においてシステム・パラメータ・メッセージを受取る。次に、移動体はステップ６１４においてシステムが多元ページング・チャネルを使用するかどうかを決定する。システムが多元ページング・チャネルを使用すれば、新しいページング・チャネル・ウォルシュ符号がステップ６１８において選択される。新しいページング・チャネル・ウォルシュ符号を選択した後、移動体はステップ６２２においてシステム・パラメータ・メッセージを受取る。システムが多元ページング・チャネルを使用しなければ、処理の次のステップは拡張CＤＭＡチャネル・リストがステップ６３０において送られたかどうかを決定することである。システムが多元ページング・チャネルを使用すれば、ステップ６１８において新しいページング・チャネル・ウォルシュ符号を選択し、且つステップ６２２においてシステム・パラメータ・メッセージを受取った後、移動体は拡張ＣＤＭＡチャネル・リストが送られたかどうかを決定するためにステップ６３０に進む。拡張ＣＤＭＡチャネル・リスト・メッセージが送られたならば、それはステップ６３４において受取られる。移動体が拡張ＣＤＭＡチャネル・リストを受取らなければ、移動体はステップ６２６においてＣＤＭＡチャネル・リスト・メッセージを受取る。移動体がＣＤＭＡチャネル・リスト・メッセージを受取れば、移動体は多元ＣＤＭＡチャネルがステップ６５４において送られつつあるかどうかを決定する。そうであれば、移動体はステップ６６０において新しい周波数を選択するためにハッシュ機能を使用し、その周波数に調整し、そしてオーバーヘッド・メッセージを取得し、且つ処理することをもって起動終了する。一つのチャネルが送られさえすれば、移動体はステップ６６４において遊休状態処理を続ける。
【００６２】
移動体がステップ６３４において拡張ＣＤＭＡチャネル・リスト・メッセージを受取れば、移動体は基地局及び移動体が迅速なページング・チャネル（ＱＰＣＨ）ステップ６３８または２より大きい無線構成ステップ６３８を支援するかどうかを決定する。そうであれば、基地局はメッセージにおいていずれのＣＤＭＡ周波数がそれらの能力を支援するかを示し、移動体をそれらのチャネルからのみ選択する。ステップ６４２はシステムが多元ＣＤＭＡチャネルを支援するかどうかを決定するステップを示す。そうでなければ、移動体はステップ６５０において遊休状態処理を続ける。そうであれば、移動体は上で述べたようにステップ６４６においてチャネルを選択するために進む。
【００６３】
登録は移動体がその所在をセルラ・システムに知らせる処理である。セルラ・システムはアクセス・チャネル及びページング・チャネルの間で負荷を平衡させるために登録を使用する。上で述べたハッシング方法は登録の負荷平衡動作に従って周波数を割当てるために登録と連動して働く。ある形式の登録なしでは、移動体は全体のセルラ・システム上でページ付をされなければならなくなり、多数の基地局を持つシステムへの呼出配信につき多くのページを送る必要性が生じるであろう。移動体はシステム内にある基地局の何倍ものページ付をされる必要があるであろう。
【００６４】
新しい基地局の通信区域に移動するごとに移動体を登録する必要があることは必要とされるページの数を増加する。登録メッセージ及びそれらの承認の伝送によって、多大な負荷がページング及びアクセス・チャネルの両方に関して造出される。
【００６５】
ＣＤＭＡシステムは登録を開始するために多くの方法を提供する。別の形式の登録は独立に有効、あるいは無効にされ、それはセルラ・キャリアがそれらのシステムを最適化するため登録方法の部分集合を調整するのを可能にする。セルラ・キャリアによって選択された登録方法はセル・システムのサイズ、システム内で期待される移動性、及び配信統計といったパラメータの機能である。基地局はシステム・パラメータ・メッセージ、拡張システム・パラメータ・メッセージ、及びＡＮＳＩ-４１システム・パラメータ・メッセージにおけるフィールドによって支援される登録形式を制御する。
【００６６】
ＣＤＭＡ２０００は多くの登録方法を支援する。これらの方法は：電力増加、電力低減、タイマー基準、距離基準、区域基準、順序付け、潜在的、トラヒック・チャネル、パラメータ、及びユーザー区域基準である。
【００６７】
非自律的登録はまたＣＤＭＡ２０００システムにおいて行われる。次の形式の登録は非自律的であると考えられる：
順序付け登録−基地局が登録順序を送った後、移動体はシステムによって手続きする。
【００６８】
トラヒック・チャネル・登録−基地局はトラヒック・チャネル上で状態要請順序を送り、状態応答メッセージを受取ることによって移動体についての登録を得る。そして基地局はそれが移動局登録メッセージを送ることによって登録されることを移動体に通告する。
【００６９】
パラメータ変更登録−呼出を配信する処理に影響を及ぼす或るパラメータが移動体において変化するとき、移動体は登録する。これらのパラメータは移動局の局クラス・マーク、好ましいスロット・サイクル、及び移動体端末呼出指標である。
【００７０】
潜在的登録−移動体が起動メッセージもしくはページ応答メッセージを首尾よく送ったとき、潜在的登録が発生する。これらのメッセージは移動体及びその場所を識別するのに十分な情報を搬送する。
【００７１】
ユーザー区域登録−ＣＤＭＡ２０００によって支援される階層サービスは移動体がユーザー区域に入るとき移動体が登録することを要求する。
【００７２】
セルラ・キャリアによって選択される登録方法はセルラ・システムのサイズ、システム内で期待される移動性、及び配信統計といったパラメータの機能である。システムがこれらの方策に関して大幅に変化するので、ＣＤＭＡ仕様は上に述べた多数の登録方法を提示する。異なる登録手続きは独立に有効、或いは無効され、セルラ・キャリアがそれらのシステムの使用を最適化することを可能にする。
【００７３】
登録は登録メッセージによって実行される。図７は本発明の実施例による登録メッセージの構造を示す。ＲＥＧ_ＴＹＰＥフィールドはタイマー基準、電力増加、区域基準、電力低減、パラメータ変化、及び順序付けまたは距離基準登録を指示するために使用される。
【００７４】
登録は二つの形式：自律的及び非自律的の一つである。自律的登録では、移動局は明白に基地局制御器によって登録するように指示されずに、事象に応えて登録を開始する。下で論じられる６形式の自律的登録がある：
電力増加登録−移動体はそれが電源投入し、代わりのサービス・システムの使用から切替えし、またはアナログ・システムの使用から切替えるとき登録する。
【００７５】
電力低減登録−移動体は現在のサービス・システムにおいて以前に登録されていればそれが電源切断するとき登録する。
【００７６】
タイマー基準登録−移動体はタイマーが満了するとき登録する。
【００７７】
距離基準登録−移動体は現在のサービス・セルとそれが最後に登録したサービス・セルとの間の距離が閾値を越えるとき登録する。
【００７８】
区域基準登録移動体はそれが新しい区域に入るとき登録する。
【００７９】
様々な形の自律的登録は基地局制御器によって全体的に有効或いは無効にされる。有効にされる登録の形及び対応する登録・パラメータはＣＤＭＡページング・チャネル上で伝送されるオーバーヘッド・メッセージにおいて通信される。
【００８０】
非自律的登録方法は：順序付け、トラヒック・チャネル、パラメータ変更、及び潜在的を含む。全ての非自律的登録方法はページング・チャネル上の順序に応答するとき、もしくはアクセス・チャネルまたはトラヒック・チャネルを使用するときホーム位置レジスタ（ＨＬＲ）／ビジター位置レジスタ（ＶＬＲ）を更新する能力を提供する。
【００８１】
セルラ・システムは（例えば、移動体からの起動メッセージの受信に続いて）呼出を配信するために必要とされる全ての情報を所有するとは限らないその通信区域内の移動体に気づくことになる。この場合には、セルラ・システムは移動体に要求順序を用いて登録するように順序付けする。
【００８２】
図８は本発明の実施例による要求順序及び順序に含まれるフィールドの構造を示す。移動体はアクセス・チャネル上で登録メッセージによる要求順序に応答し、他の登録に関してはそのデータ構造を更新する。
【００８３】
別の非自律的登録はトラヒック・チャネル登録である。トラヒック・チャネル登録は移動体がトラヒック・チャネル上にある間に登録関連情報を受取る方法を云う。トラヒック・チャネル上の情報交換はページング及びアクセス・チャネル上で起こる交換より他のユーザーへの干渉が少ないから、ＣＤＭＡシステムは呼出に続く自動登録の多くのインスタンスを回避して、トラヒック・チャネル上で登録情報の伝送を行う。そのような登録が発生する一つの例はシステム間ハンドオフを含む呼出である。
【００８４】
移動体への登録情報の提供は移動体からのリリース指令の受信の後、及び移動体へのリリース指令の伝送の前に行われる。この段階で、基地局と移動体との間の情報交換は音声品質に対して何の影響も与えない。
【００８５】
図９は本発明の実施例によるパラメータ変更登録の構造を示す。移動体における或るパラメータは移動体への呼出を配信する処理に直接影響を及ぼすかもしれず、従ってそれらにおける変更が発生するときはいつでもシステムにおいて更新されなくてはならない。これらのパラメータは移動局の局クラス・マーク（ＳＣＭ）、好ましいスロット・サイクル、及び移動体端末呼出指標である。
【００８６】
ＳＣＭは乗物に付けたり、そして取り外したり、及び携帯電話として使用される移動体において変化する。これらの異なる情況の下で移動体は別の電力を伝送し、そして別の受理能力を持つので、基地局は変化に気づかなければならず、従ってそれはその呼出配信アルゴリズムにおいて情報を使用する。
【００８７】
好ましいスロット・サイクル指数は選択された時間スロットにおいてのみページング・チャネルを監視する或るＣＤＭＡ電話の能力を云い、従って処理負荷を低減し、且つ電池の寿命を増加させる。移動体をページ付けしようとする基地局は移動局がページング・チャネルを監視するそれらのスロットにページを伝送するように、移動体によって使用されるスロット・サイクルに気づかなければならない。
【００８８】
移動局は呼出終了指標を保持する。サービスが提供されるシステムに属する基地局の通信区域にあるとき（「ホーム」システム）、サービス・システム中を、しかし別のネットワークを徘徊（roaming）しているとき（ネットワーク識別「ＮＩＤ」利用者（roamer））、または別のシステム中を徘徊しているとき（システム識別「ＳＩＤ」利用者）、ＣＤＭＡ電話は呼出を受入れるために独立にプログラムされる。
【００８９】
従って、呼出終了指標は移動局の徘徊状態及び徘徊状態についてプログラムされた呼出終了選択の機能である。徘徊状態における変化または選択における変化のいずれかのために、呼出終了指標が変化すれば、基地局は通告されなければならず、従って、それはページが移動局に伝送されるべきかどうかを決定する。
【００９０】
潜在的登録は、移動局及び基地局が登録には直接関係がないが、（基地局通信区域内の）移動体及びその場所を識別するのに十分な情報をセルラ・システムに伝達するメッセージを交換するとき発生する。
【００９１】
他の無線通信システムにおいて使用される他の登録手法との両立性に関して、移動局はそれが起動メッセージまたはページ応答メッセージの伝送成功の後でのみ潜在的に登録したと考える。
【００９２】
ルーチン動作の間、移動局は起動メッセージ及びページ応答メッセージにおいて状態更新をシステムへ提供する。この能力は必要とされる登録メッセージの数を低減させる。
【００９３】
図１０は本発明の実施例による起動メッセージにおいて必要とされるフィールドを示す。移動局によって送られた起動メッセージはＭＳを潜在的に登録するために十分な情報を含む。
【００９４】
いくつかの問題はシステム境界の近くで動作している移動体のページングに関して周知である。これらの問題の中に、一つのシステムから別のシステムへ移動する移動局をページングするための適切な基地局制御器の決定がある。システムの各変更後の自律的登録は役に立つが、この問題を完全に解決できない。登録は瞬間的ではないので、移動局がサービス・システムを変えたことをホーム位置レジスタ（Home Location Register：ＨＬＲ）が気付かないある期間が常にある。
【００９５】
移動局が新しいサービス・システム中のセルに入るたびに自律的登録が発生すれば、別の問題が起こる：サービス・システムの各変更に関して登録する移動局はシステム境界に沿って移動しているとき過剰数の登録要求を発する。これは移動局が移動中であるとき伝播効果が急速に変化する移動局の観点から最適サービス・システムをもたらすためである。
【００９６】
移動局はそれが登録したシステム識別番号（ＳＩＤ）及びネットワーク識別番号（ＮＩＤ）のリスト、ＳＩＤ_ＮＩＤ_ＬＩＳＴを保持する。移動局が或る（ＳＩＤ／ＮＩＤ）対に登録するとき、それはその対をリストに加え、それが以前に登録したＳＩＤ及びＮＩＤに対応する対に関するタイマーを始動させる。移動局がそのリスト上の（ＳＩＤ／ＮＩＤ）対に属する基地局の通信区域に戻れば、それは再登録しない。一旦、タイマーが満了すれば、移動局はリストからタイマーに関連する対を削除する。タイマーが満了した（ＳＩＤ／ＮＩＤ）に属する基地局の通信区域に移動局が偶然あれば、それは対をタイマーなしのリストに戻して再登録する。
【００９７】
ＢＳはシステム・パラメータ・メッセージにおいて送られたＭＵＬＴ_ＳＩＤＳ及びＭＵＬＴ_ＮＩＤＳパラメータの使用を通して移動局のＳＩＤ_ＮＩＤ_ＬＩＳＴ中の多数のＳＩＤ及び／またはＮＩＤの記憶（storage）を制御する。
【００９８】
図１１は本発明の実施例によるシステム・パラメータ・メッセージのフィールド及びフィールド長を示す。ＭＵＬＴ_ＳＩＤＳがゼロに設定されるとき、移動局は同一のＳＩＤを持つ多元入力を記憶しないであろう。このように、それが特定（ＳＩＤ／ＮＩＤ）対を登録するとき、そのようなものが存在すれば異なるＳＩＤを持つ別の対をリストから除外する。同様に、ＭＵＬＴ_ＮＩＤＳがゼロに設定されるとき、移動局はそれが登録する全てのＮＩＤに関するただ一つの（ＳＩＤ／ＮＩＤ）対を記憶する。
【００９９】
システム・パラメータ・メッセージはシステムにおいてどの形式の登録を使用すべきかを制御する。このオーバーヘッド・メッセージから、移動局はどの形式を使用すべきか、及び動作の値を決定する。
【０１００】
ＲＥＧ_ＺＯＮＥフィールドは基地局の登録区域へ設定される。ＴＯＴＡＬ_ＺＯＮＥＳフィールドは移動局が区域基準登録の目的のために保持する登録区域の数に設定される。ＺＯＮＥ_ＴＩＭＥＲは移動局によって使用される区域登録タイマーの長さに設定される。ＺＯＮＥ_ＴＩＭＥＲは１〜６０分の範囲にある。
【０１０１】
登録処理の重要な役割は動作周波数を移動局に割当てることである。この周波数割当はまた全体としてシステムに対する影響を持つ。干渉が最小であり、且つシステム動作パラメータがそれらの最適範囲に維持されるように、移動局は多元周波数及び帯域にわたって配分されなければならない。登録処理の目標（goals）は周波数帯域間に遊休移動局を配分すること、登録処理への変化に関する実施時間を最小にすること、メッセージ交換、特に帯域変更に関する登録を最小にすること、移動局出力先変更を回避すること、及び第二のページング・チャネル（それは逆に電力利用に影響し、第二のウォルシュ符号を必要とする）の使用を回避することを含む。
【０１０２】
ハッシング処理を変更することはシステム性能を向上させるであろう。移動局及び基地局能力の多様性増加の存在において多元帯域及び／または周波数を配置するときハッシングが操作者に多くの制御を可能にすることによって改良されればシステム性能は強化されるであろう。本発明の実施例はハッシング及び／または出力先変更機能を提供する。上で論じた強化はハッシング及び／または出力先変更処理の変更によって実施される。
【０１０３】
本発明の様々な実施例は修正拡張ＣＤＭＡチャネル・リスト・メッセージ（ＥＣＣＬＭ）及び／または修正拡張全域サービス先変更メッセージ（ＥＧＳＲＤＭ）を使用する帯域間ハッシングを利用することによって周波数帯域にわたって移動局を配分する改良された仕組みを提供するであろう。
【０１０４】
本発明の一実施例では、ＥＣＣＬＭへの強化は高性能移動局能力制御に基づく改良されたハッシングを提供する。高性能能力制御は支援される共通（例えば、同報、ページング等）チャネル、トラヒック・チャネル、及びサービスを含む。そのような能力は高性能ＥＣＣＬＭにおけるフラグが能力制御に基づいてハッシングを行うように移動局に指示するときＥＣＣＬＭにおいて識別されたチャネルに基づいて特定のチャネルへハッシングする移動局の能力プロフィールの中へ用意される。
【０１０５】
図１２は本発明の実施例によるチャネルのハッシングの能力制御を例示する。拡張ＣＤＭＡチャネル・リスト・メッセージ（ＥＣＣＬＭ）はいくつもの数のビット及びビット・パターンにも従って構成される能力制御フィールドを含む。その上、能力制御フィールドの様々なビットはＥＣＣＬＭにおいて指定された周波数の特定の一つにハッシングするために使用されるとき能力制御の優先順位を提供するようにグループ化される。
【０１０６】
本発明の別の実施例では、ＥＧＳＲＤＭに対する強化は特定の移動局能力に基づいてチャネルの選択における改良された制御を可能にする。システムにおける移動局の周波数選択、ひいては再配分の制御能力を拡張するために、ＥＧＳＲＤＭはＥＧＳＲＤＭにおける多元出力先変更を含むように強化される。
【０１０７】
図１３は強化ＥＧＳＲＤＭ中に多数の出力先変更レコードを含む本発明の実施例を例示する。強化ＥＧＳＲＤＭの多数の出力先変更のさらに特定の実施では、一以上の次の出力先変更レコードはいくつもの数のビット及びビット・パターンに従って構成される能力制御フィールドを含む。その上、能力制御フィールドの様々なビットは、移動局を特定の周波数に出力先変更させるために使用されるとき能力制御の優先順位を提供するようにグループ化される。
【０１０８】
本発明のさらに別の実施例では、ＥＣＣＬＭに対する強化はＥＣＣＬＭからのチャネルの選択に関してシステム決定を通過しなくても移動局が遊休状態へ移行することを許容することによってシステム性能の改善を許容する。図１２はチャネルが帯域間或いは他であるか否かに拘らずチャネルの選択及びチャネルへの移行（例えば、チャネル再配分）の後、システム決定処理を実行することを見送るように指令する強化ＥＣＣＬＭにおけるフラグまたは他の指標を例示する。
【０１０９】
本発明のなおさらなる実施例では、ＥＣＣＬＭに対する強化はチャネルの選択及びそこへの移行に関してシステム決定を通過しなくても移動局を遊休状態へ移行させることを許容することによってシステム性能の改善を許容する。図１３は出力先変更メッセージにおけるチャネル（例えば、チャネル再配分）出力先変更識別及び出力先変更チャネルへの移行の後、システム決定処理を実行することを見送るように指令する強化ＥＣＣＬＭにおけるフラグまたは他の指標を例示する。
【０１１０】
このように、通信システムにおいて移動局を再分配するための新規且つ改良された方法及び、装置を述べてきた。当業者は上の記述の至る所で引用されるデータ、指示、命令、情報、信号、ビット、シンボル、及びチップは電圧、電流、電磁波、磁界または粒子、光学場または粒子、或いはそのいくつもの組合せによって旨く表されることを理解するであろう。当業者はさらにここに開示された実施例に関連して記述された様々な例示の論理ブロック、モジュール、回路、及びアルゴリズム・ステップが電子ハードウェア、コンピュータ・ソフトウェア、または両者の組合せとして実施されることを理解するであろう。
【０１１１】
様々な例示の構成部品、ブロック、モジュール、回路、及びステップは一般にそれらの機能性に関して上で述べてきた。機能性がハードウェアまたはソフトウェアとして実施されるかどうかは全体システムに課せられた特定のアプリケーション及び設計の制約に依存する。熟練技術者はこれらの情況のもとでハードウェア及びソフトウェアの互換性、及び特定の各アプリケーションについて記述された機能性を実施する最良な方法を認識する。
【０１１２】
例えば、ここに開示された実施例に関連して記述された様々な例示の論理ブロック、モジュール、及び回路はディジタル信号プロセッサ（ＤＳＰ）、特定用途向け集積回路（ＡＳＩＣ）、フィールド・プログラム可能なゲート・アレイ（ＦＰＧＡ）または他のプログラム可能な論理デバイス、個別ゲートまたはトランジスタ論理、例えば、レジスタ及びＦＩＦＯといった個別ハードウェア部品、一組のファームウェア命令を実行するプロセッサ、いくつもの従来のプログラム可能ソフトウェア・モジュール及びプロセッサ、或いはここに記述された機能を実行するために設計されたそのいくつもの組合せによって実施または実行される。
【０１１３】
プロセッサはマイクロプロセッサが有利であるが、代って、プロセッサはいくつもの従来のプロセッサ、コントローラ、マイクロコントローラ、プログラム可能な論理デバイス、論理素子のアレイ、または状態機械でもよい。ソフトウェア・モジュールはＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ-ＲＯＭ、または当技術分野で既知のいくつもの他の形の記憶媒体に在駐するであろう。典型的なプロセッサは記憶媒体から情報を読取り、且つ記憶媒体に情報を書込むために記憶媒体に接続するのが有利である。
【０１１４】
代りに、記憶媒体はプロセッサに統合してもよい。プロセッサ及び記憶媒体はＡＳＩＣに在駐させてもよい。ＡＳＩＣは電話または他のユーザー端末に在駐させてもよい。代わりに、プロセッサ及び記憶媒体は電話または他のユーザー端末に在駐させてもよい。プロセッサはＤＳＰ及びマイクロプロセッサの組合せとして、或いはＤＳＰコア等と連動する二つのマイクロプロセッサとしても実施される。
【０１１５】
さらなる実施例において、当業者は前述の方法がコンピュータ・プラットホームのメモリであるようにコンピュータ可読媒体上に具現化されたプログラムの実行によって実施されることを理解するであろう。命令は様々な形式の信号担持またはデータ記憶の一次、二次、或いは三次媒体に在駐する。媒体は、例えば、クライアント・デバイス及び／またはサーバによってアクセス可能なＲＡＭを含み、或いはその中に在駐する。ＲＡＭ、ディスケット、または他の二次記憶媒体に含まれるか否かに拘らず、その命令はＤＡＳＤ記憶媒体（例えば、従来の「ハード・ドライブ」、またはＲＡＩＤアレイ）、磁気テープ、電子読出し専用メモリ（例えば、ＲＯＭまたはＥＥＰＲＯＭ）、フラッシュ・メモリ装置、光記憶デバイス（例えば、ＣＤ-ＲＯＭ、ＷＯＲＭ、ＤＶＤ、ディジタル光学テープ）、紙の「パンチ」カード、またはディジタル及びアナログ伝送媒体を含む他の適当なデータ記憶媒体といった様々なマシン可読データ記憶媒体上に記憶される。
【０１１６】
前述の開示は発明の例示的な実施例を示しているが、付属の請求項によって定義されたように様々な変形及び修正が本発明の範囲から逸脱することなくここになされることは注目すべきである。ここに述べた本発明の実施例による方法の特許請求範囲の取組み及びステップは特定の順序で実行する必要はない。さらに、本発明の要素は単独で記述、且つ請求しているが、単独に対する制限が明白に表明されない限り、複数のものを意図している。
【０１１７】
本発明の好ましい実施例はこのように示され、且つ述べられてきた。しかしながら、多数の変更が本発明の精神または範囲から逸脱することなくここに開示された実施例に対して行われることは当業者には明白であろう。従って、本発明はこれらの請求項によることを除いては制限されるべきではない。
【図面の簡単な説明】
【０１１８】
【図１】本発明の実施例による典型的な通信システムの図である。
【図２】本発明の実施例による典型的な通信システムのための周波数及び帯域割当の図である。
【図３】本発明の実施例による移動局呼出処理の概観図である。
【図４】本発明の一実施例によって不必要な周波数変更を回避しながら多元帯域上でハッシングに対応する無線通信システムである。
【図５】本発明の一実施例による同期チャネル・メッセージのフィールド及びフィールド長を例示する。
【図６】本発明の一実施例による順方向ページング・チャネル（Ｆ-ＰＣＨ）上で使用されるハッシングの方法を例示する。
【図７】本発明の一実施例による登録メッセージの構造を詳述する。
【図８】本発明の一実施例による要求順序に関するフィールド及びフィールド長を示す。
【図９】本発明の一実施例によるパラメータ変更非自律登録のためのフィールド及びフィールド長を示す。
【図１０】本発明の一実施例による開始メッセージのためのフィールド及びフィールド長を示す。
【図１１】本発明の一実施例によるシステム・パラメータ・メッセージのためのフィールド、及びフィールド長を示す。
【図１２】本発明の一以上の実施例による強化された拡張ＣＤＭＡチャネル・リスト・メッセージのフィールド及び、フィールド長を例示する。
【図１３】本発明の一以上の実施例による強化された拡張全域サービス先変更メッセージのフィールド及び、フィールド長を例示する。
【図１】
2008518519.tif 000003
【図２】
2008518519.tif 000004
【図３】
2008518519.tif 000005
【図４】
2008518519.tif 000006
【図５】
2008518519.tif 000007
【図６】
2008518519.tif 000008
【図７】
2008518519.tif 000009
【図８】
2008518519.tif 000010
【図９】
2008518519.tif 000011
【図１０】
2008518519.tif 000012
【図１１】
2008518519.tif 000013
【図１２】
2008518519.tif 000014
【図１３】
2008518519.tif 000015
【国際調査報告】
2008518519.tif 000016
2008518519.tif 000017
2008518519.tif 000018
2008518519.tif 000019